(57)【要約】【課題】カーナビゲーション装置を利用して空き駐車場案内及び誘導を行うと共に、ＥＴＣシステムを利用して、ＥＴＣカードの個人識別情報での認証による駐車場予約と駐車料金割引サービスを実現する。【解決手段】駐車場に設置される駐車場端末と、前記駐車場を管理して駐車場案内サービスを行う駐車場案内サービスホストコンピュータと、駐車場利用料金の精算を行うクレジット会社ホストコンピュータと、これらを相互に通信接続する通信ネットワークと、から構成した。【選択図】      図１
2005275719.tif 000002
【特許請求の範囲】
【請求項１】
駐車場に設置される駐車場端末と、前記駐車場を管理して駐車場案内サービスを行う駐車場案内サービスホストコンピュータと、駐車場利用料金の精算を行うクレジット会社ホストコンピュータと、これらを相互に通信接続する通信ネットワークと、から構成される駐車場案内と料金自動支払いシステムであって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする駐車場案内と料金自動支払いシステム。
【請求項２】
前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、
ことを特徴とする請求項１に記載の駐車場案内と料金自動支払いシステム。
【請求項３】
前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、
ことを特徴とする請求項１或いは請求項２の何れか１項に記載の駐車場案内と料金自動支払いシステム。
【請求項４】
前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢと、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報を前記クレジット会社ホストコンピュータに送信する駐車料金管理手段と、
を備えることを特徴とする請求項１から請求項３の何れか１項に記載の駐車場案内と料金自動支払いシステム。
【請求項５】
前記クレジット会社ホストコンピュータは、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間からなる駐車場利用料金情報が記憶保存される第２の駐車料金ＤＢと、
前記駐車場案内サービスホストコンピュータから送信されるＥＴＣカードＩＤと駐車場ＩＤと駐車場利用料金と入庫時間と出庫時間からなる駐車場利用料金情報を受信すると、受信した駐車場利用料金情報を前記第２の駐車料金ＤＢに書き込む第２の駐車料金管理手段と、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記第２の駐車料金ＤＢからＥＴＣカードＩＤごとに駐車場利用料金情報レコードを順次読み出して前記駐車場利用料金情報レコード内の駐車場利用料金レコードの駐車場利用料金の合計を算出し、前記クレジット料金ＤＢから当該ＥＴＣカードＩＤを有するクレジット料金情報レコードを順次読み出し、読み出したクレジット料金情報レコード内の利用時間レコードの利用時間が、前記駐車場利用料金情報レコード内の出庫時間レコードの出庫時間と入庫時間レコードの入庫時間の間の駐車場利用時間内であるかを演算して駐車場利用時間内である場合に前記駐車場利用料金の合計を所定の割引率に応じて割り引く処理を行う料金精算手段と、
を備えることを特徴とする請求項１から請求項４の何れか１項に記載の駐車場案内と料金自動支払いシステム。
【請求項６】
ＳＡやＰＡの駐車場に設置される駐車場端末と、前記駐車場を管理して高速道路駐車場案内サービスを行う駐車場案内サービスホストコンピュータと、これらを相互に通信接続する通信ネットワークと、から構成される駐車場案内と料金自動支払いシステムであって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする駐車場案内と料金自動支払いシステム。
【請求項７】
前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、
ことを特徴とする請求項６に記載の駐車場案内と料金自動支払いシステム。
【請求項８】
前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、
ことを特徴とする請求項６或いは請求項７の何れか１項に記載の駐車場案内と料金自動支払いシステム。
【請求項９】
前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算手段と、
を備えることを特徴とする請求項６から請求項８の何れか１項に記載の駐車場案内と料金自動支払いシステム。
【請求項１０】
駐車場に設置される駐車場端末と、前記駐車場を管理して駐車場案内サービスを行う駐車場案内サービスホストコンピュータと、駐車場利用料金の精算を行うクレジット会社ホストコンピュータと、これらを相互に通信接続する通信ネットワークと、から構成されるシステムにおける駐車場案内と料金自動支払い方法であって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢを備え、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理処理と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内処理と、
を実行することを特徴とする駐車場案内と料金自動支払い方法。
【請求項１１】
前記駐車場案内処理においては、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、
ことを特徴とする請求項１０に記載の駐車場案内と料金自動支払い方法。
【請求項１２】
前記駐車場案内処理においては、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、
ことを特徴とする請求項１０或いは請求項１１の何れか１項に記載の駐車場案内と料金自動支払い方法。
【請求項１３】
前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢを備え、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報を前記クレジット会社ホストコンピュータに送信する駐車料金管理処理を実行する、
ことを特徴とする請求項１０から請求項１２の何れか１項に記載の駐車場案内と料金自動支払い方法。
【請求項１４】
前記クレジット会社ホストコンピュータは、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間からなる駐車場利用料金情報が記憶保存される第２の駐車料金ＤＢと、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、を備え、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理処理と、
前記駐車場案内サービスホストコンピュータから送信されるＥＴＣカードＩＤと駐車場ＩＤと駐車場利用料金と入庫時間と出庫時間からなる駐車場利用料金情報を受信すると、受信した駐車場利用料金情報を前記第２の駐車料金ＤＢに書き込む第２の駐車料金管理処理と、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理処理と、
前記第２の駐車料金ＤＢからＥＴＣカードＩＤごとに駐車場利用料金情報レコードを順次読み出して前記駐車場利用料金情報レコード内の駐車場利用料金レコードの駐車場利用料金の合計を算出し、前記クレジット料金ＤＢから当該ＥＴＣカードＩＤを有するクレジット料金情報レコードを順次読み出し、読み出したクレジット料金情報レコード内の利用時間レコードの利用時間が、前記駐車場利用料金情報レコード内の出庫時間レコードの出庫時間と入庫時間レコードの入庫時間の間の駐車場利用時間内であるかを演算して駐車場利用時間内である場合に前記駐車場利用料金の合計を所定の割引率に応じて割り引く処理を行う料金精算処理と、
を実行することを特徴とする請求項１０から請求項１３の何れか１項に記載の駐車場案内と料金自動支払い方法。
【請求項１５】
ＳＡやＰＡの駐車場に設置される駐車場端末と、前記駐車場を管理して高速道路駐車場案内サービスを行う駐車場案内サービスホストコンピュータと、これらを相互に通信接続する通信ネットワークと、から構成されるシステムにおける駐車場案内と料金自動支払い方法であって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢを備え、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理処理と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内処理と、
を実行することを特徴とする駐車場案内と料金自動支払い方法。
【請求項１６】
前記駐車場案内処理においては、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、
ことを特徴とする請求項１５に記載の駐車場案内と料金自動支払い方法。
【請求項１７】
前記駐車場案内処理においては、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、
ことを特徴とする請求項１５或いは請求項１６の何れか１項に記載の駐車場案内と料金自動支払い方法。
【請求項１８】
前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、を備え、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理処理と、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理処理と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算処理と、
を実行することを特徴とする請求項１５から請求項１７の何れか１項に記載の駐車場案内と料金自動支払い方法。
【請求項１９】
駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする駐車場案内サービスホストコンピュータ。
【請求項２０】
前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、
ことを特徴とする請求項１９に記載の駐車場案内サービスホストコンピュータ。
【請求項２１】
前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、
ことを特徴とする請求項１９或いは請求項２０の何れか１項に記載の駐車場案内サービスホストコンピュータ。
【請求項２２】
前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢと、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報をクレジット会社ホストコンピュータに送信する駐車料金管理手段と、
を備えることを特徴とする請求項１９から請求項２１の何れか１項に記載の駐車場案内サービスホストコンピュータ。
【請求項２３】
前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算手段と、
を備えることを特徴とする請求項１９から請求項２１の何れか１項に記載の駐車場案内サービスホストコンピュータ。
【発明の詳細な説明】
【技術分野】
【０００１】
本発明は駐車場案内と料金自動支払いシステム及びその方法並びに駐車場案内サービスホストコンピュータに関し、特に、ＥＴＣカードの個人識別情報による駐車場予約や駐車料金割引サービスを実現することを可能とする、駐車場案内と料金自動支払いシステム及びその方法並びに駐車場案内サービスホストコンピュータに関する。
【背景技術】
【０００２】
一般に、市街地や観光地などで駐車場を利用しようとする場合、空き駐車場を探すためには、現場まで行って駐車スペースの空き状態を確認する必要がある。また、せっかく空き駐車スペースが見つかっても、車がミニバンなどの場合には、車高制限のため駐車できず、他の駐車場を探さねばならない状況も起こりうる。
【０００３】
このような不便さを解消するため、カーナビゲーション装置に空き駐車場情報を表示するシステムが提案されるようになってきている（例えば、特許文献１参照。）。
【０００４】
上述した特許文献１の「カーナビゲーション装置及びカーナビゲーション装置を用いた駐車場管理システム」には、以下のようなシステムが記載されている。
【０００５】
すなわち、カーナビゲーション装置の要求信号送信手段は、空き駐車場情報を取得するための要求信号と共に車両寸法情報と車両の現在位置情報を、駐車場管理センタに向けて送信する。駐車場管理センタでは、受信した車両寸法情報と現在位置情報に基づいて空き駐車場情報を検索し、検索した空き駐車場情報を車両に返送する。そして、カーナビゲーション装置はこれを受信して車内にて表示させる。
【０００６】
このことにより、車両にいながらにして、現実的に利用可能な空き駐車場情報が得られるようになる、としている。
【０００７】
また一般に、駐車場からの出庫の際には、駐車場の係員或いは駐車料金支払機に、現金やカードを出して駐車料金を支払うようになっている。
【０００８】
このような手間をかけずに、駐車場利用時間に応じた料金決済を、近年各地で導入され、高速道路や有料道路の利用料金を無人で収受するＥＴＣ（Ｅｌｅｃｔｒｏｎｉｃ  Ｔｏｌｌ  Ｃｏｌｌｅｃｔｉｏｎ  Ｓｙｓｔｅｍ：自動料金収受システム）システムを利用して、自動で行うシステムも提案されている（例えば、特許文献２参照。）。
【０００９】
上述した特許文献２の「駐車場管理システム」には、図１０に示す駐車場管理システムが記載されている。
【００１０】
すなわち、図１０において、この駐車場管理システムは、駐車場ＰＫに設置され、車ＣＲに搭載された車載器との間で双方向の無線通信を行う入口側ＤＳＲＣ（Ｄｅｄｉｃａｔｅｄ  Ｓｈｏｒｔ  Ｒａｎｇｅ  Ｃｏｍｍｕｎｉｃａｔｉｏｎ：専用狭域通信）路側装置と出口側ＤＳＲＣ路側装置を備えている。また、駐車場の画像データを撮像するＣＣＴＶカメラと、その画像データを元に駐車場の全駐車スペースＳＰ内の車ＣＲの駐車有無を判別する画像処理装置を備えている。さらに、入口側ＤＳＲＣ路側装置、出口側ＤＳＲＣ路側装置と車載器との間で行われる無線通信により、車が停止することなく駐車場ＰＫのゲート開閉及びその駐車場利用時間に応じた料金決済を自動で行うと共に、画像処理装置により判別された駐車スペースＳＰに関する情報を車載器向けメッセージ情報として入口側ＤＳＲＣ路側装置からの無線通信により車載器に情報提供する駐車場管理サーバを備えている。
【００１１】
このことにより、ＥＴＣシステムの利点を活かしつつ、駐車場の満車／空車の管理やその利用者への情報提供を行うことができるようになる、としている。
【００１２】
【特許文献１】特開２００２−３５７４３４号公報（第４−８頁、図１−６）
【特許文献２】特開２００３−０５８９２５号公報（第３−５頁、図１−７）
【発明の開示】
【発明が解決しようとする課題】
【００１３】
上述した特許文献１に記載の従来の駐車場管理システムは、駐車場の満車／空車の管理やその利用者への情報提供を、カーナビゲーション装置を介して行っているものの、駐車場の利用予約や駐車料金の自動決済は行うことができない。
【００１４】
また、上述した特許文献２に記載の従来の駐車場管理システムは、ＥＴＣシステムを利用して駐車料金の自動決済を行っているものの、駐車場の利用予約や駐車料金の割引などを行うようにはなっていない。
【００１５】
本発明は上述した事情を改善するために成されたものであり、従って本発明の目的は、カーナビゲーション装置を利用して空き駐車場案内及び誘導を行うと共に、ＥＴＣシステムを利用して、ＥＴＣカードの個人識別情報での認証による駐車場予約と駐車料金割引サービスを実現することを可能とする、駐車場案内と料金自動支払いシステム及びその方法並びに駐車場案内サービスホストコンピュータを提供することにある。
【課題を解決するための手段】
【００１６】
本発明の駐車場案内と料金自動支払いシステムは、駐車場に設置される駐車場端末と、前記駐車場を管理して駐車場案内サービスを行う駐車場案内サービスホストコンピュータと、駐車場利用料金の精算を行うクレジット会社ホストコンピュータと、これらを相互に通信接続する通信ネットワークと、から構成される駐車場案内と料金自動支払いシステムであって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする。
【００１７】
また、前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、ことを特徴とする。
【００１８】
さらに、前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、ことを特徴とする。
【００１９】
また、前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢと、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報を前記クレジット会社ホストコンピュータに送信する駐車料金管理手段と、を備えることを特徴とする。
【００２０】
さらに、前記クレジット会社ホストコンピュータは、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間からなる駐車場利用料金情報が記憶保存される第２の駐車料金ＤＢと、
前記駐車場案内サービスホストコンピュータから送信されるＥＴＣカードＩＤと駐車場ＩＤと駐車場利用料金と入庫時間と出庫時間からなる駐車場利用料金情報を受信すると、受信した駐車場利用料金情報を前記第２の駐車料金ＤＢに書き込む第２の駐車料金管理手段と、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記第２の駐車料金ＤＢからＥＴＣカードＩＤごとに駐車場利用料金情報レコードを順次読み出して前記駐車場利用料金情報レコード内の駐車場利用料金レコードの駐車場利用料金の合計を算出し、前記クレジット料金ＤＢから当該ＥＴＣカードＩＤを有するクレジット料金情報レコードを順次読み出し、読み出したクレジット料金情報レコード内の利用時間レコードの利用時間が、前記駐車場利用料金情報レコード内の出庫時間レコードの出庫時間と入庫時間レコードの入庫時間の間の駐車場利用時間内であるかを演算して駐車場利用時間内である場合に前記駐車場利用料金の合計を所定の割引率に応じて割り引く処理を行う料金精算手段と、を備えることを特徴とする。
【００２１】
また、ＳＡやＰＡの駐車場に設置される駐車場端末と、前記駐車場を管理して高速道路駐車場案内サービスを行う駐車場案内サービスホストコンピュータと、これらを相互に通信接続する通信ネットワークと、から構成される駐車場案内と料金自動支払いシステムであって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする。
【００２２】
さらに、前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、ことを特徴とする。
【００２３】
また、前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、ことを特徴とする。
【００２４】
さらに、前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算手段と、を備えることを特徴とする。
【００２５】
本発明の駐車場案内と料金自動支払い方法は、駐車場に設置される駐車場端末と、前記駐車場を管理して駐車場案内サービスを行う駐車場案内サービスホストコンピュータと、駐車場利用料金の精算を行うクレジット会社ホストコンピュータと、これらを相互に通信接続する通信ネットワークと、から構成されるシステムにおける駐車場案内と料金自動支払い方法であって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢを備え、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理処理と、
前記カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内処理と、
を実行することを特徴とする。
【００２６】
また、前記駐車場案内処理においては、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、ことを特徴とする。
【００２７】
さらに、前記駐車場案内処理においては、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、ことを特徴とする。
【００２８】
また、前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢを備え、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報を前記クレジット会社ホストコンピュータに送信する駐車料金管理処理を実行する、ことを特徴とする。
【００２９】
さらに、前記クレジット会社ホストコンピュータは、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間からなる駐車場利用料金情報が記憶保存される第２の駐車料金ＤＢと、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、を備え、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理処理と、
前記駐車場案内サービスホストコンピュータから送信されるＥＴＣカードＩＤと駐車場ＩＤと駐車場利用料金と入庫時間と出庫時間からなる駐車場利用料金情報を受信すると、受信した駐車場利用料金情報を前記第２の駐車料金ＤＢに書き込む第２の駐車料金管理処理と、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理処理と、
前記第２の駐車料金ＤＢからＥＴＣカードＩＤごとに駐車場利用料金情報レコードを順次読み出して前記駐車場利用料金情報レコード内の駐車場利用料金レコードの駐車場利用料金の合計を算出し、前記クレジット料金ＤＢから当該ＥＴＣカードＩＤを有するクレジット料金情報レコードを順次読み出し、読み出したクレジット料金情報レコード内の利用時間レコードの利用時間が、前記駐車場利用料金情報レコード内の出庫時間レコードの出庫時間と入庫時間レコードの入庫時間の間の駐車場利用時間内であるかを演算して駐車場利用時間内である場合に前記駐車場利用料金の合計を所定の割引率に応じて割り引く処理を行う料金精算処理と、を実行することを特徴とする。
【００３０】
また、ＳＡやＰＡの駐車場に設置される駐車場端末と、前記駐車場を管理して高速道路駐車場案内サービスを行う駐車場案内サービスホストコンピュータと、これらを相互に通信接続する通信ネットワークと、から構成されるシステムにおける駐車場案内と料金自動支払い方法であって、
前記駐車場案内サービスホストコンピュータは、
前記駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢを備え、
前記駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理処理と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内処理と、
を実行することを特徴とする。
【００３１】
さらに、前記駐車場案内処理においては、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、ことを特徴とする。
【００３２】
また、前記駐車場案内処理においては、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、ことを特徴とする。
【００３３】
さらに、前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、を備え、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理処理と、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理処理と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算処理と、を実行することを特徴とする。
【００３４】
本発明の駐車場案内サービスホストコンピュータは、駐車場の駐車場ＩＤと前記駐車場への経路案内情報と前記駐車場の各駐車スペースの駐車スペース配置及び前記駐車場の駐車スペースごとの駐車スペースＩＤと前記駐車スペースの使用状況（空き／使用中）と予約状況と駐車制限事項が記憶保存される駐車場使用状況ＤＢと、
駐車場端末から送信される前記駐車場の駐車スペースごとの駐車スペースＩＤと使用状況を受信して前記駐車場使用状況ＤＢ内の前記駐車スペースＩＤに関連づけられた使用状況レコードに前記使用状況を順次書き込む駐車場使用状況管理手段と、
カーナビ装置から送信される空き駐車場の検索を要求するメッセージを受信すると、前記駐車場使用状況ＤＢを検索して空き駐車場を探し出し、空き駐車場の経路案内情報を前記駐車場使用状況ＤＢから読み出して空き駐車場の情報メッセージを生成し、生成した空き駐車場の情報メッセージを前記カーナビ装置に返送する駐車場案内手段と、
を備えることを特徴とする。
【００３５】
また、前記駐車場案内手段は、前記カーナビ装置から送信される空き駐車場の検索を要求するメッセージを受信すると、前記駐車場使用状況ＤＢに記憶された駐車スペースＩＤと使用状況レコードと予約状況レコードと駐車制限事項レコードを順次読み出して、当該使用状況レコード及び当該予約状況レコードにＮＵＬＬコードが記述されており、かつ、駐車制限事項レコードに記載の寸法と前記空き駐車場の検索を要求するメッセージに記載の自車情報（車高、車幅、車長、重量）に記載の寸法とを比較演算して後者寸法が前者寸法より大きくないときに、当該駐車スペースＩＤを有する駐車スペースが空きであると判定し、空き駐車スペースの存在する駐車場を空き駐車場と判定し、空き駐車場の駐車場ＩＤに関連づけられた経路案内情報レコードを前記駐車場使用状況ＤＢから読み出して空き駐車場の情報メッセージを生成し、生成した空き駐車場の情報メッセージを前記カーナビ装置に返送する、ことを特徴とする。
【００３６】
さらに、前記駐車場案内手段は、さらに、前記カーナビ装置から送信される予約要求メッセージを受信すると、前記駐車場使用状況ＤＢから前記予約要求メッセージに記載の駐車場ＩＤで識別される空き駐車場の空き駐車スペースを選択し、選択した駐車場ＩＤ及び駐車スペースＩＤに関連づけられた予約状況レコードに、前記予約要求メッセージに記載のＥＴＣカードＩＤを書き込むことにより当該駐車場ＩＤ及び駐車スペースＩＤで識別される駐車スペースの予約を行い、前記駐車場使用状況ＤＢから当該駐車場ＩＤに関連づけられた経路案内情報レコードと駐車スペース配置レコードを読み出してこれらを前記カーナビ装置に返送する、ことを特徴とする。
【００３７】
また、前記駐車場案内サービスホストコンピュータは、さらに、
ＥＴＣカードＩＤごとに、ＥＴＣカードＩＤと前記ＥＴＣカードＩＤを備える自動車が駐車した駐車場の駐車場ＩＤと駐車場利用料金と入庫時間と出庫時間が記憶保存される駐車料金ＤＢと、
前記駐車場端末から送信されるＥＴＣカードＩＤと駐車場利用料金と入庫時間と出庫時間からなる駐車場利用料金情報を受信すると、受信した駐車場利用料金情報を前記駐車料金ＤＢに書き込むと共に、受信した駐車場利用料金情報をクレジット会社ホストコンピュータに送信する駐車料金管理手段と、を備えることを特徴とする。
【００３８】
さらに、前記駐車場案内サービスホストコンピュータは、さらに、
ＥＴＣカードＩＤごとに、ＥＴＣカードＩＤと前記ＥＴＣカードＩＤを備えるＥＴＣカードがクレジット利用された施設などの利用施設・商店名と利用料金と利用時間からなるクレジット料金情報が記憶保存されるクレジット料金ＤＢと、
前記施設からＥＴＣカードＩＤと利用施設・商店名と利用料金と利用時間からなるクレジット料金情報を受信すると、受信したクレジット料金情報を前記クレジット料金ＤＢに書き込むクレジット料金管理手段と、
ＥＴＣカードＩＤごとに、ＥＴＣカードＩＤと前記ＥＴＣカードＩＤを備える自動車が走行した有料道路の利用区間と利用料金と利用時間からなる有料道路利用料金情報が記憶保存される有料道路利用料金ＤＢと、
ＥＴＣシステムから送信されるＥＴＣカードＩＤと利用区間と利用料金と利用時間からなる有料道路利用料金情報を受信すると、受信した有料道路利用料金情報を前記有料道路利用料金ＤＢに書き込む有料道路利用料金管理手段と、
前記有料道路利用料金ＤＢからＥＴＣカードＩＤごとに有料道路利用料金情報レコードを順次読み出して前記有料道路利用料金情報レコード内の利用料金レコードの利用料金の合計値を算出し、前記クレジット料金ＤＢから当該ＥＴＣカードＩＤを有するクレジット料金情報レコードを順次読み出し、読み出したクレジット料金情報レコード内の利用時間レコードの利用時間が、前記有料道路利用料金情報レコード内の利用時間レコードの利用時間内であるかを演算して前記有料道路利用料金情報レコード内の利用時間レコードの利用時間内である場合に前記合計値を所定の割引率に応じて割り引く処理を行う料金精算手段と、を備えることを特徴とする。
【発明の効果】
【００３９】
本発明の駐車場案内と料金自動支払いシステム及びその方法並びに駐車場案内サービスホストコンピュータは、各駐車場が駐車場案内サービスホストコンピュータに、自駐車場の各駐車スペースの使用状況を通知している。従って、駐車場の使用状況をリアルタイムで利用者のカーナビ装置に通知することが可能となる、という効果を有している。
【発明を実施するための最良の形態】
【００４０】
次に、本発明の実施の形態について図面を参照して説明する。
【００４１】
図１は、本発明の駐車場案内と料金自動支払いシステムの一実施形態を示すブロック図である。
【００４２】
図１に示す本実施の形態は、地域内の加入する駐車場を管理し、駐車場案内サービスを行う駐車場案内サービスサイトの駐車場案内サービスホストコンピュータ１０を備えている。また、加入する駐車場に設置される複数の駐車場端末１１（１１−１〜１１−ｎ）と、駐車場を利用する複数の自動車に搭載されるカーナビ装置１２（１２−１〜１２−ｍ）と、を備えている。さらに、駐車場利用料金の精算を行うクレジット会社のクレジット会社ホストコンピュータ１４と、これらを相互に通信接続する通信ネットワーク１３と、を備えている。
【００４３】
駐車場案内サービスホストコンピュータ１０は、加入する駐車場の場所情報と該駐車場への経路案内情報を記憶・保存すると共に、各駐車場の駐車スペースの使用状況を管理する。そして、カーナビ装置１２からの要求に応じて各駐車場への経路案内情報を送出すると共に、各駐車場の駐車スペースの予約を受け付ける。また、自動車が駐車場に駐車した際の駐車場利用料金の自動徴収を行う。
【００４４】
駐車場端末１１は、駐車場端末１１が設置される駐車場の各駐車スペースの使用状況を監視し、これを駐車場案内サービスホストコンピュータ１０に送信する。また、駐車場を利用する自動車のカーナビ装置１２と、ＥＴＣ（Ｅｌｅｃｔｒｏｎｉｃ  Ｔｏｌｌ  Ｃｏｌｌｅｃｔｉｏｎ  Ｓｙｓｔｅｍ：自動料金収受システム）システムで使用されているＤＳＲＣ（Ｄｅｄｉｃａｔｅｄ  Ｓｈｏｒｔ  Ｒａｎｇｅ  Ｃｏｍｍｕｎｉｃａｔｉｏｎ：専用狭域通信）による通信を行う。そして、駐車場を利用する自動車の入庫時間と出庫時間を管理し、入庫／出庫時間から該自動車の駐車場利用料金を演算し、これを駐車場案内サービスホストコンピュータ１０に送信する。
【００４５】
カーナビ装置１２は、通常のカーナビゲーション機能による経路案内を行うと共に、ＥＴＣシステム用のＥＴＣ車載器を備えており、ＥＴＣによる有料道路の利用料金の自動支払いを行い、また、駐車場端末１１との通信によりＥＴＣによる駐車場利用料金の自動支払いを行う。さらに、駐車場案内サービスホストコンピュータ１０にアクセスすることにより、各駐車場への経路案内情報を受信してカーナビゲーション機能により駐車場への経路案内を行うと共に、各駐車場の駐車スペースの予約を行う。
【００４６】
クレジット会社ホストコンピュータ１４は、ＥＴＣ車載器に装着されるＥＴＣカードの発行元のクレジット会社が運営しており、ＥＴＣカードの所有者の個人識別情報（以降、ＥＴＣカードＩＤ、と称する）ごとに、有料道路の利用料金の精算を行う。そして、本実施形態においては、ＥＴＣカードを商品購入などの通常のクレジットカードとして利用した場合の料金精算も行い、また、ＥＴＣ車載器を利用した駐車場利用料金の自動支払いが行われた場合の料金精算も行う。さらに、駐車場利用時間中に、ＥＴＣカードによる商品購入などのクレジット利用がなされている場合には、駐車場利用料金の割引を行う。
【００４７】
通信ネットワーク１３は、カーナビ装置１２が駐車場案内サービスホストコンピュータ１０にアクセスするための、携帯電話網及びその基地局装置をも含めたインターネットである。
【００４８】
次に、図２を参照して、駐車場案内サービスホストコンピュータ１０の構成について説明する。
【００４９】
図２は、駐車場案内サービスホストコンピュータの一例を示す詳細ブロック図である。
【００５０】
図２における駐車場案内サービスホストコンピュータ１０は、ワークステーション、サーバ、或いは、パーソナルコンピュータなどの情報処理装置で構成されている。そして、通信ネットワーク１３と通信接続する通信ネットワーク接続手段１０１と、加入する駐車場の駐車場情報を登録する駐車場情報登録手段１０２と、を備えている。また、駐車場の各駐車スペースの使用状況を管理する駐車場使用状況管理手段１０３を備えている。さらに、カーナビ装置１２からの要求があった場合、空き駐車場を検索し、空き駐車場までの経路案内情報を送出すると共に、空き駐車場の駐車スペースの予約を受け付ける駐車場案内手段１０４を備えている。またさらに、駐車場に自動車が駐車した場合の駐車場利用料金を管理する駐車料金管理手段１０５を備えている。また、各駐車場ごとに、該駐車場への経路案内情報、及び各駐車スペースの使用状況などを記憶・保持する駐車場使用状況ＤＢ（Ｄａｔａ  Ｂａｓｅ：データベース）１０６と、駐車場利用料金を記憶・保持する駐車料金ＤＢ１０７と、を備えている。
【００５１】
通信ネットワーク接続手段１０１は、通信ネットワーク１３を介して駐車場端末１１、カーナビ装置１２、クレジット会社ホストコンピュータ１４と、それぞれ通信を行う。
【００５２】
駐車場情報登録手段１０２は、加入する駐車場に設置される駐車場端末１１から該駐車場の駐車場情報を、通信ネットワーク接続手段１０１を介して受信すると、受信した駐車場情報を駐車場使用状況ＤＢ１０６に登録する。ここで、駐車場情報とは、該当駐車場の住所などの場所情報と該当駐車場への経路案内情報、該当駐車場の各駐車スペースの配置等を示す駐車スペース配置、及び、各駐車スペースごとの駐車制限事項（車高、車幅、車長、重量制限など）、駐車料金などからなる情報である。なお、駐車場情報は、該当駐車場を識別するための駐車場ＩＤにより管理され、また、該当駐車場の各駐車スペースも、各駐車スペースを識別するための駐車スペースＩＤにより管理される。
【００５３】
駐車場使用状況管理手段１０３は、駐車場端末１１から該駐車場の各駐車スペースの使用状況（空き／使用中）を通信ネットワーク接続手段１０１を介して受信し、受信した各駐車スペースの使用状況を駐車場使用状況ＤＢ１０６内の該当駐車場ＩＤ・該当駐車スペースＩＤを有する記憶領域に記憶させる。
【００５４】
駐車場案内手段１０４は、カーナビ装置１２から空き駐車場を検索する要求を、通信ネットワーク接続手段１０１を介して受信した場合に、駐車場使用状況ＤＢ１０６を検索して空き駐車場を探し、空き駐車場の場所情報と経路案内情報をカーナビ装置１２に返送する。そして、カーナビ装置１２から、空き駐車場の駐車スペースを予約したい旨の要求を受信すると、空き駐車場の空き駐車スペースを予約する。空き駐車スペースの予約は、駐車場使用状況ＤＢ１０６の該当駐車場ＩＤ・該当駐車スペースＩＤを有する記憶領域に予約の旨を記憶させることにより行う。空き駐車スペースの予約を完了すると、予約した駐車スペースを有する駐車場への経路案内情報及び駐車スペース配置の情報を、カーナビ装置１２に返送する。
【００５５】
駐車料金管理手段１０５は、駐車場端末１１から該駐車場に駐車した自動車（ＥＴＣカードＩＤで識別される）の駐車場利用料金（駐車場への入庫時間と出庫時間を含む）を通信ネットワーク接続手段１０１を介して受信すると、受信した自動車の駐車場利用料金を駐車料金ＤＢ１０７内のＥＴＣカードＩＤで識別される記憶領域に記憶させる。なお、駐車料金ＤＢ１０７内に記憶されたＥＴＣカードＩＤごとの駐車場利用料金の情報は、駐車料金精算を行う際、クレジット会社ホストコンピュータ１４に送信する。
【００５６】
駐車場使用状況ＤＢ１０６は、図２に駐車場使用状況ＤＢ１０６の拡大図として示すように、駐車場ＩＤで識別される各駐車場ごとに、該当駐車場の住所などの場所情報と該当駐車場への経路案内情報、及び該当駐車場の各駐車スペースの配置等を示す駐車スペース配置の情報を記憶・保持する。また、該当駐車場の駐車スペースＩＤで識別される各駐車スペースごとに、駐車制限事項（車高、車幅、車長、重量制限など）、駐車料金、使用状況（空き／使用中）、予約状況（予約なし／予約あり）の情報を情報レコードとして記憶・保持する。なお、各駐車スペースの使用状況レコードには、該駐車スペースが空きの場合はＮＵＬＬコードが記憶され、該駐車スペースが使用中の場合はＥＴＣカードＩＤなどＮＵＬＬでないコードが記憶される。同様に、各駐車スペースの予約状況レコードには、該駐車スペースが予約なしの場合はＮＵＬＬコードが記憶され、該駐車スペースが予約ありの場合はＥＴＣカードＩＤなどＮＵＬＬでないコードが記憶される。
【００５７】
駐車料金ＤＢ１０７は、駐車場に駐車した自動車（ＥＴＣカードＩＤで識別される）の駐車場利用料金を記憶・保持するデータベースであり、図２に駐車料金ＤＢ１０７の拡大図として示すように、ＥＴＣカードＩＤごとに、駐車した駐車場の駐車場ＩＤ、駐車場利用料金、入庫時間、出庫時間の情報を情報レコードとして記憶・保持する。
【００５８】
次に、図３を参照して、駐車場端末１１の構成について説明する。
【００５９】
図３は、駐車場端末の一例を示す詳細ブロック図である。
【００６０】
図３における駐車場端末１１は、ＣＰＵ（Ｃｅｎｔｒａｌ  Ｐｒｏｃｅｓｓｉｎｇ  Ｕｎｉｔ：中央処理装置）を備える情報処理装置で構成されている。そして、通信ネットワーク１３と通信接続する通信ネットワーク接続手段１１１と、当該駐車場の駐車場情報を駐車場案内サービスホストコンピュータ１０に送信する駐車場情報送信手段１１２と、を備えている。また、当該駐車場の各駐車スペースの使用状況を管理する駐車スペース使用状況管理手段１１３と、当該駐車場に自動車が駐車した場合の駐車場利用料金を徴収する駐車料金徴収手段１１４と、を備えている。さらに、当該駐車場の入口ゲートで自動車のカーナビ装置１２とＤＳＲＣによる通信を行うＤＳＲＣ通信手段１１５−１と、当該駐車場の出口ゲートで自動車のカーナビ装置１２とＤＳＲＣによる通信を行うＤＳＲＣ通信手段１１５−２と、を備えている。またさらに、当該駐車場への経路案内情報、及び各駐車スペースの使用状況などを記憶・保持する駐車場情報ＤＢ１１６と、当該駐車場の駐車場利用料金を記憶・保持する駐車料金ＤＢ１１７と、を備えている。
【００６１】
通信ネットワーク接続手段１１１は、通信ネットワーク１３を介して駐車場案内サービスホストコンピュータ１０と通信を行う。
【００６２】
駐車場情報送信手段１１２は、駐車場情報ＤＢ１１６に記憶・保持されている当該駐車場の駐車場情報を、通信ネットワーク接続手段１１１を介して駐車場案内サービスホストコンピュータ１０に送信する。ここで、駐車場情報とは、図２で述べたと同様に、当該駐車場の住所などの場所情報と当該駐車場への経路案内情報、当該駐車場の各駐車スペースの配置等を示す駐車スペース配置、及び、各駐車スペースごとの駐車制限事項（車高、車幅、車長、重量制限など）、駐車料金などからなる情報である。なお、駐車場情報は、当該駐車場を識別するための駐車場ＩＤにより管理され、また、当該駐車場の各駐車スペースも、各駐車スペースを識別するための駐車スペースＩＤにより管理される。
【００６３】
なお、上述の駐車場情報は、図示しない駐車場情報登録手段により、予め駐車場端末１１の駐車場情報ＤＢ１１６に登録されている。
【００６４】
駐車スペース使用状況管理手段１１３は、当該駐車場の各駐車スペースの使用状況（空き／使用中）を管理し、各駐車スペースの使用状況に変化（空き→使用中に変化、使用中→空きに変化）が生じた場合、この使用状況を駐車場情報ＤＢ１１６の該当駐車スペースＩＤを有する記憶領域に記憶させる。また、この使用状況を、通信ネットワーク接続手段１１１を介して駐車場案内サービスホストコンピュータ１０に送信する。
【００６５】
なお、当該駐車場の各駐車スペースには、自動車の出入りを検出する駐車センサが設けられており、駐車センサから得られた電気的検出信号は、図示しない駐車センサインタフェースを介して駐車スペース使用状況管理手段１１３に入力される。自動車が入ったとき当該駐車スペースの使用状況は使用中となり、自動車が出たとき当該駐車スペースの使用状況は空きとなる。駐車センサとしては、自動車を検知する超音波センサや光センサ、或いは、自動車の重量を検知する圧力センサなど各種センサが用いられる。
【００６６】
駐車料金徴収手段１１４は、入口ゲートのＤＳＲＣ通信手段１１５−１から、入口ゲートを通過した自動車のＥＴＣカードＩＤを受信すると、当該ＥＴＣカードＩＤを有する自動車が駐車場に入ったものとしてその入庫時間を計時し、当該ＥＴＣカードＩＤと入庫時間を駐車料金ＤＢ１１７に記憶させる。また、出口ゲートのＤＳＲＣ通信手段１１５−２から、出口ゲートを通過した自動車のＥＴＣカードＩＤを受信すると、当該ＥＴＣカードＩＤを有する自動車が駐車場から出たものとしてその出庫時間を計時し、駐車料金ＤＢ１１７に既に記憶されている当該ＥＴＣカードＩＤを有する記憶領域から入庫時間を取得し、出庫時間と入庫時間の差として得られる駐車時間から駐車場利用料金を演算し、駐車料金ＤＢ１１７内の当該ＥＴＣカードＩＤを有する記憶領域に、出庫時間と駐車場利用料金を記憶させる。そして、当該ＥＴＣカードＩＤを有する記憶領域の情報、すなわち、ＥＴＣカードＩＤと付随する駐車場利用料金、入庫時間、出庫時間に当該駐車場の駐車場ＩＤを付加した情報を、通信ネットワーク接続手段１１１を介して駐車場案内サービスホストコンピュータ１０に送信する。
【００６７】
ＤＳＲＣ通信手段１１５（１１５−１、１１５−２）は、カーナビ装置１２とＤＳＲＣによる通信を行い、カーナビ装置１２からＥＴＣカードＩＤを受信し、受信したＥＴＣカードＩＤを駐車料金徴収手段１１４に送信する。
【００６８】
駐車場情報ＤＢ１１６は、図２の駐車場使用状況ＤＢ１０６の拡大図で示したと同様であり、図３の駐車場情報ＤＢ１１６の拡大図として示すように、当該駐車場の駐車場ＩＤと、当該駐車場の住所などの場所情報と当該駐車場への経路案内情報、及び当該駐車場の各駐車スペースの配置等を示す駐車スペース配置の情報を記憶・保持する。また、当該駐車場の駐車スペースＩＤで識別される各駐車スペースごとに、駐車制限事項（車高、車幅、車長、重量制限など）、駐車料金、使用状況（空き／使用中）、予約状況（予約なし／予約あり）の情報を情報レコードとして記憶・保持する。なお、各駐車スペースの使用状況レコードには、該駐車スペースが空きの場合はＮＵＬＬコードが記憶され、該駐車スペースが使用中の場合はＥＴＣカードＩＤなどＮＵＬＬでないコードが記憶される。同様に、各駐車スペースの予約状況レコードには、該駐車スペースが予約なしの場合はＮＵＬＬコードが記憶され、該駐車スペースが予約ありの場合はＥＴＣカードＩＤなどＮＵＬＬでないコードが記憶される。
【００６９】
駐車料金ＤＢ１１７は、駐車場に駐車した自動車（ＥＴＣカードＩＤで識別される）の駐車場利用料金を記憶・保持するデータベースであり、図２の駐車料金ＤＢ１０７の拡大図として示したと同様である。すなわち、図３の駐車料金ＤＢ１１７の拡大図として示すように、ＥＴＣカードＩＤごとに、駐車した駐車場の駐車場ＩＤ、駐車場利用料金、入庫時間、出庫時間の情報を情報レコードとして記憶・保持する。
【００７０】
次に、図４を参照して、カーナビ装置１２の構成について説明する。
【００７１】
図４は、カーナビ装置の一例を示す詳細ブロック図である。
【００７２】
図４におけるカーナビ装置１２は、通信ネットワーク１３を介して駐車場案内サービスホストコンピュータ１０に通信接続し、駐車場案内サービスを受けるための駐車場案内サービスアクセス手段１２１を備えている。また、駐車場案内サービスを受ける際に必要となる自車情報を蓄積・記憶する自車情報蓄積手段１２２と、従来のカーナビゲーション装置であるところの経路案内手段１２３と、を備えている。さらに、従来のＥＴＣシステム用車載器であるところのＥＴＣ車載器１２４を備えている。
【００７３】
駐車場案内サービスアクセス手段１２１は、キーボード等の入力装置を備えており、所望の地域などを入力することにより、該地域近郊の空き駐車場の検索を要求するメッセージ（自車情報蓄積手段１２２に記憶されている自車情報（車高、車幅、車長、重量）を含む）を生成する。そして、生成したメッセージを、通信ネットワーク１３に含まれる携帯電話網の基地局装置を介して駐車場案内サービスホストコンピュータ１０に送信する。駐車場案内サービスホストコンピュータ１０から空き駐車場の情報メッセージ（空き駐車場の場所情報と経路案内情報）を受信すると、これを経路案内手段１２３の表示装置に表示させる。そして、空き駐車場の駐車スペースを予約したい旨が入力されると、空き駐車場の駐車スペースを予約したい旨を要求するメッセージを生成して、駐車場案内サービスホストコンピュータ１０に送信する。駐車スペースの予約がなされると、駐車場案内サービスホストコンピュータ１０から、予約した駐車スペースを有する駐車場への経路案内情報及び駐車スペース配置の情報が送信されるのでこれを受信し、これを経路案内手段１２３の表示装置に表示させる。
【００７４】
自車情報蓄積手段１２２は、カーナビ装置１２を搭載する自動車の寸法情報、すなわち、車高、車幅、車長、重量を記憶・保持する。
【００７５】
経路案内手段１２３は、従来のカーナビゲーション装置であり、マイコン等で構成される制御部と、制御部に接続される操作部、表示部、地図データベース、音声出力部を備えて構成されている。そして、通常のオフラインでの道路案内情報を表示部に表示すると共に、駐車場案内サービスアクセス手段１２１から空き駐車場の情報を受信して、空き駐車場への経路案内情報を表示部に表示する。また、駐車場案内サービスアクセス手段１２１から予約した駐車スペースを有する駐車場への経路案内情報及び駐車スペース配置の情報を受信して、予約した駐車スペースを有する駐車場への経路案内情報を表示部に表示する。また、該当駐車場へ到着した際には、予約した駐車スペースへの案内を表示部に表示する。
【００７６】
ＥＴＣ車載器１２４は、従来のＥＴＣシステム用の車載器であり、マイコン等で構成されるＥＴＣ制御手段１２４１と、ＥＴＣ制御手段１２４１に接続されるＤＳＲＣ通信手段１２４３と、を備えている。また、ＥＴＣ制御手段１２４１に挿入されて接続されるＥＴＣカード１２４２を備えている。そして、ＤＳＲＣ通信手段１２４３により通常のＥＴＣシステムのＥＴＣ路側装置とＤＳＲＣによる通信を行って、有料道路の料金の自動支払いを行う。また、本実施形態においては、ＤＳＲＣ通信手段１２４３により駐車場端末１１とＤＳＲＣによる通信を行って、駐車場の駐車場利用料金の自動支払いを行う。なお、ＥＴＣカード１２４２内には、該ＥＴＣカード１２４２の所有者の個人識別情報であるところのＥＴＣカードＩＤが記憶・保持されており、ＤＳＲＣ通信手段１２４３がＤＳＲＣによる通信を行う際には、該ＥＴＣカードＩＤを含む通信がなされ、料金支払いの際の個人を識別可能となっている。
【００７７】
次に、図５を参照して、クレジット会社ホストコンピュータ１４の構成について説明する。
【００７８】
図５は、クレジット会社ホストコンピュータの一例を示す詳細ブロック図である。
【００７９】
図５におけるクレジット会社ホストコンピュータ１４は、ワークステーション、サーバなどの情報処理装置で構成されている。そして、通信ネットワーク１３と通信接続する通信ネットワーク接続手段１４１と、駐車場案内サービスホストコンピュータ１０から送信される駐車場利用料金の情報を管理する駐車料金管理手段１４２と、を備えている。また、ＥＴＣカードが通常のクレジットカードとして利用された場合に、クレジットカードが利用された施設や商店などから送信されるクレジット料金の情報を管理するクレジット料金管理手段１４３を備えている。さらに、通常のＥＴＣシステムから送信される有料道路の利用料金の情報を管理する有料道路利用料金管理手段１４４を備えている。またさらに、駐車場利用料金を記憶・保持する駐車料金ＤＢ１４５と、クレジット料金の情報を記憶・保持するクレジット料金ＤＢ１４６と、有料道路の利用料金の情報を記憶・保持する有料道路利用料金ＤＢ１４７と、を備えている。また、駐車場利用料金などの精算を行う料金精算手段１４８を備えている。
【００８０】
通信ネットワーク接続手段１４１は、通信ネットワーク１３を介して駐車場案内サービスホストコンピュータ１０、クレジットカードが利用された施設や商店（図示せず）、通常のＥＴＣシステム（図示せず）と、それぞれ通信を行う。
【００８１】
駐車料金管理手段１４２は、駐車場案内サービスホストコンピュータ１０から送信される駐車場利用料金の情報を、通信ネットワーク接続手段１４１を介して受信し、これを駐車料金ＤＢ１４５に記憶させる。
【００８２】
クレジット料金管理手段１４３は、クレジットカードが利用された施設や商店などから送信されるクレジット料金の情報を、通信ネットワーク接続手段１４１を介して受信し、これをクレジット料金ＤＢ１４６に記憶させる。
【００８３】
有料道路利用料金管理手段１４４は、通常のＥＴＣシステムから送信される有料道路の利用料金の情報を、通信ネットワーク接続手段１４１を介して受信し、これを有料道路利用料金ＤＢ１４７に記憶させる。
【００８４】
駐車料金ＤＢ１４５は、駐車場に駐車した自動車（ＥＴＣカードＩＤで識別される）の駐車場利用料金を記憶・保持するデータベースであり、図２の駐車料金ＤＢ１０７の拡大図として示したと同様である。すなわち、図５の駐車料金ＤＢ１４５の拡大図として示すように、ＥＴＣカードＩＤごとに、駐車した駐車場の駐車場ＩＤ、駐車場利用料金、入庫時間、出庫時間の情報を情報レコードとして記憶・保持する。
【００８５】
クレジット料金ＤＢ１４６は、クレジット料金の情報を記憶・保持するデータベースであり、図５のクレジット料金ＤＢ１４６の拡大図として示すように、ＥＴＣカードＩＤごとに利用施設・商店名、利用料金、利用時間、その他（購入商品名など）の情報を情報レコードとして記憶・保持する。
【００８６】
有料道路利用料金ＤＢ１４７は、有料道路の利用料金の情報を記憶・保持するデータベースであり、図５の有料道路利用料金ＤＢ１４７の拡大図として示すように、ＥＴＣカードＩＤごとに有料道路の利用区間、利用料金、利用時間、その他の情報を情報レコードとして記憶・保持する。
【００８７】
料金精算手段１４８は、駐車料金ＤＢ１４５を参照してＥＴＣカードＩＤごとに駐車場利用料金を集計する。また、クレジット料金ＤＢ１４６を参照して当該ＥＴＣカードＩＤでのクレジット利用による利用料金が記憶されている場合には、クレジット利用の利用時間が駐車中である場合（クレジット利用の利用時間が、駐車料金ＤＢ１４５内の入庫時間から出庫時間の間である場合。）には、所定の割引率に従って駐車場利用料金の割引を行う。そして、ＥＴＣカードＩＤごとの割引後の駐車場利用料金と、クレジット利用による利用料金と、通常のＥＴＣシステムによる有料道路の利用料金とを併せて、銀行引き落とし処理を行う。
【００８８】
次に、図６を参照して、本実施形態の動作について詳細に説明する。
【００８９】
図６は、本実施形態の動作を説明するフローチャートである。
【００９０】
先ず、駐車場案内サービスホストコンピュータ１０は、駐車場案内サービスに加入する駐車場の駐車場端末１１から、該当駐車場の駐車場情報を受信し、受信した駐車場情報を駐車場使用状況ＤＢ１０６に登録する（図６のステップＡ１）。
【００９１】
具体的には、駐車場端末１１の駐車場情報送信手段１１２は、予め駐車場情報ＤＢ１１６に登録されている駐車場情報（駐車場ＩＤ、場所情報、経路案内情報、駐車スペース配置、及び、駐車スペースごとの駐車スペースＩＤ、駐車制限事項、駐車料金）を読み出す。そして、読み出した駐車場情報を、通信ネットワーク接続手段１１１により通信ネットワーク１３を介して駐車場案内サービスホストコンピュータ１０に送信する。駐車場案内サービスホストコンピュータ１０の駐車場情報登録手段１０２は、送信された駐車場情報を通信ネットワーク接続手段１０１を介して受信し、これを駐車場使用状況ＤＢ１０６に駐車場ＩＤと関連付けて登録し記憶させる。なお、駐車場案内サービスに加入する駐車場が複数ある場合には、加入する駐車場ごとの駐車場情報を、駐車場ＩＤと関連付けて駐車場使用状況ＤＢ１０６に複数登録する。
【００９２】
次に、駐車場案内サービスに加入する駐車場の駐車場端末１１は、自駐車場の各駐車スペースの使用状況（空き／使用中）を把握し、各駐車スペースの使用状況をリアルタイムで駐車場案内サービスホストコンピュータ１０に送信する。駐車場案内サービスホストコンピュータ１０は、各駐車スペースの使用状況を駐車場使用状況ＤＢ１０６に書き込むことにより、各駐車場の各駐車スペースの使用状況を管理する（ステップＡ２）。
【００９３】
具体的には、駐車場端末１１の駐車スペース使用状況管理手段１１３は、自駐車場の各駐車スペースに設けられている駐車センサからの入力信号により該当駐車スペースの使用状況（空き／使用中）を把握し、これを駐車場情報ＤＢ１１６内の該当駐車スペースＩＤを有する記憶領域の使用状況レコードに記憶させる。そして、駐車スペースＩＤを付した各駐車スペースの使用状況を自駐車場の駐車場ＩＤと共に、通信ネットワーク接続手段１１１を介して駐車場案内サービスホストコンピュータ１０に送信する。駐車場案内サービスホストコンピュータ１０の駐車場使用状況管理手段１０３は、通信ネットワーク接続手段１０１を介して駐車場ＩＤ及び駐車スペースＩＤが付加された各駐車スペースの使用状況を受信する。そして、これを駐車場使用状況ＤＢ１０６内の該当駐車場ＩＤ及び該当駐車スペースＩＤを有する記憶領域の使用状況レコードに記憶させる。なお、駐車場使用状況ＤＢ１０６内の使用状況レコードには、該当駐車スペースが空きの場合にはＮＵＬＬコードが記録され、使用中の場合にはＮＵＬＬでないコードが記録される。
【００９４】
次に、駐車場案内サービスを利用したい自動車のカーナビ装置１２から、空き駐車場の検索を要求するメッセージが、駐車場案内サービスホストコンピュータ１０に送信されると、駐車場案内サービスホストコンピュータ１０は該メッセージに含まれるＥＴＣカードＩＤによって認証を行いログインを完了させる。そして、駐車場案内サービスホストコンピュータ１０は空き駐車場を探し出し、空き駐車場の情報メッセージを生成してカーナビ装置１２に返送する（ステップＡ３）。
【００９５】
具体的には、カーナビ装置１２の駐車場案内サービスアクセス手段１２１は、駐車場案内サービスアクセス手段１２１が備える入力装置からの入力を契機として、ＥＴＣ車載器１２４のＥＴＣカード１２４２からＥＴＣカードＩＤを取得し、また、自車情報蓄積手段１２２から自車情報（車高、車幅、車長、重量）を取得する。そして、ＥＴＣカードＩＤと自車情報を含めて空き駐車場の検索を要求するメッセージを生成し、これを通信ネットワーク１３に含まれる携帯電話網の基地局装置を介して駐車場案内サービスホストコンピュータ１０に送信する。
【００９６】
駐車場案内サービスホストコンピュータ１０の駐車場案内手段１０４は、該メッセージを通信ネットワーク接続手段１０１を介して受信すると、先ず、該メッセージに含まれるＥＴＣカードＩＤの認証を行い、認証成功の場合にログインを完了させる。そして、駐車場案内手段１０４は、駐車場使用状況ＤＢ１０６を検索して空き駐車場を探し出す。ここで空き駐車場とは、駐車場使用状況ＤＢ１０６内の駐車スペースＩＤで識別される記憶領域の使用状況レコード及び予約状況レコードが共にＮＵＬＬコードであり、かつ駐車制限事項レコードに記載されている車高、車幅、車長、重量制限が、該メッセージに含まれている自車情報（車高、車幅、車長、重量）で示される自動車を収容可能と判定される場合に、当該駐車スペースを空きと判定するものとし、空き駐車スペースを有する駐車場を空き駐車場と判定するものとする。
【００９７】
駐車場案内手段１０４は、駐車場使用状況ＤＢ１０６から空き駐車場（複数可）を探し出すと、駐車場使用状況ＤＢ１０６の駐車場ＩＤで識別される空き駐車場の場所情報、経路案内情報を取得して、場所情報と経路案内情報を含む空き駐車場の情報メッセージ（空き駐車場の駐車場ＩＤを含む）を生成し、通信ネットワーク接続手段１０１を介してカーナビ装置１２に返送する。
【００９８】
次に、空き駐車場の情報メッセージを受信したカーナビ装置１２は、空き駐車場の場所情報と経路案内情報を経路案内手段１２３の表示装置に表示する。そして、カーナビ装置１２の使用者によって空き駐車場が選択されると、その空き駐車場の駐車スペースを予約したい旨の予約要求メッセージを生成し、予約要求メッセージを駐車場案内サービスホストコンピュータ１０に送信する（ステップＡ４）。
【００９９】
具体的には、カーナビ装置１２の駐車場案内サービスアクセス手段１２１は、受信した空き駐車場の情報メッセージに含まれる空き駐車場の場所情報と経路案内情報を、経路案内手段１２３に渡すことにより経路案内手段１２３の表示装置に表示させる。そして、カーナビ装置１２の使用者によって何れかの空き駐車場が選択されると、その空き駐車場の駐車スペースを予約したい旨の予約要求メッセージ（予約したい空き駐車場の駐車場ＩＤを含む）を生成して駐車場案内サービスホストコンピュータ１０に送信する。
【０１００】
駐車場案内サービスホストコンピュータ１０の駐車場案内手段１０４は、通信ネットワーク接続手段１０１を介して予約要求メッセージを受信すると、駐車場使用状況ＤＢ１０６内の、予約要求メッセージに含まれる駐車場ＩＤで識別される空き駐車場の空き駐車スペースを選択し、駐車場ＩＤ及び駐車スペースＩＤで識別される記憶領域の予約状況レコードに、予約要求メッセージに含まれるＥＴＣカードＩＤを記録して、当該駐車場ＩＤ及び駐車スペースＩＤで識別される駐車スペースの予約を完了する。
【０１０１】
駐車スペースの予約を完了した駐車場案内サービスホストコンピュータ１０の駐車場案内手段１０４は、駐車場使用状況ＤＢ１０６から、予約した駐車スペースを有する駐車場の駐車場ＩＤを有する記憶領域から当該駐車場の経路案内情報と駐車スペース配置を取得して、この経路案内情報と駐車スペース配置の情報を、通信ネットワーク接続手段１０１を介してカーナビ装置１２に返送する。
【０１０２】
予約した駐車場の経路案内情報と駐車スペース配置の情報を受信したカーナビ装置１２は、予約した駐車場の経路案内情報を、経路案内手段１２３の表示装置に表示させる。カーナビ装置１２の使用者は、カーナビ装置１２に表示されている経路案内情報に従って、予約した駐車場まで走行する。
【０１０３】
次に、予約した駐車場に到着した自動車は、既に駐車場案内サービスホストコンピュータ１０から受信している駐車スペース配置の情報を、カーナビ装置１２に表示して、予約した駐車スペースに駐車する。このとき、駐車場に入庫した自動車のカーナビ装置１２は、駐車場端末１１とＤＳＲＣによる通信を行い、駐車場端末１１は入庫した自動車から得たＥＴＣカードＩＤと共に入庫時間を記録する（ステップＡ５）。
【０１０４】
具体的には、カーナビ装置１２のＥＴＣ車載器１２４のＤＳＲＣ通信手段１２４３は、ＥＴＣカード１２４２からＥＴＣカードＩＤを取得して、ＥＴＣカードＩＤを駐車場端末１１に送信する。駐車場端末１１の入口ゲート側のＤＳＲＣ通信手段１１５−１は、該ＥＴＣカードＩＤを受信して、駐車料金徴収手段１１４に送出する。駐車料金徴収手段１１４は、当該ＥＴＣカードＩＤを有する自動車が駐車場に入ったものとしてその入庫時間を計時し、当該ＥＴＣカードＩＤと入庫時間を駐車料金ＤＢ１１７に記憶させる。
【０１０５】
なお、予約した駐車スペースに自動車が駐車すると、駐車場端末１１の駐車スペース使用状況管理手段１１３は、当該駐車スペースの使用状況が空き→使用中に変化したことを検出して、この使用状況を駐車場情報ＤＢ１１６の該当駐車スペースＩＤを有する記憶領域の使用状況レコードに記憶させる（ＥＴＣカードＩＤを記録する）。使用状況レコードに記憶させるＥＴＣカードＩＤは、該当駐車スペースＩＤを有する記憶領域の予約状況レコードから取得する。（予約状況レコードから取得しない場合、例えば、予約していない自動車の駐車を認めるような場合、駐車スペースにＤＳＲＣ通信手段を設け、該当ＤＳＲＣ通信手段によってＥＴＣカードＩＤを自動車から取得するようにすればよい。）。また、この使用状況を、通信ネットワーク接続手段１１１を介して駐車場案内サービスホストコンピュータ１０に送信する。駐車場案内サービスホストコンピュータ１０の駐車場使用状況管理手段１０３は、これを駐車場使用状況ＤＢ１０６内の該当駐車場ＩＤ・該当駐車スペースＩＤを有する記憶領域の使用状況レコードに記憶させる。
【０１０６】
次に、駐車場の利用が終わって自動車が駐車場から出庫する際は、出庫する自動車のカーナビ装置１２は、駐車場端末１１とＤＳＲＣによる通信を行う。そして、駐車場端末１１は出庫する自動車から得たＥＴＣカードＩＤと共に出庫時間を記録する。また、出庫時間と入庫時間の差として得られる駐車時間から駐車場利用料金を演算して記録する（ステップＡ６）。
【０１０７】
具体的には、カーナビ装置１２のＥＴＣ車載器１２４のＤＳＲＣ通信手段１２４３は、ＥＴＣカード１２４２からＥＴＣカードＩＤを取得して、ＥＴＣカードＩＤを駐車場端末１１に送信する。駐車場端末１１の出口ゲート側のＤＳＲＣ通信手段１１５−２は、該ＥＴＣカードＩＤを受信して、駐車料金徴収手段１１４に送出する。駐車料金徴収手段１１４は、当該ＥＴＣカードＩＤを有する自動車が駐車場から出たものとしてその出庫時間を計時する。そして、駐車料金ＤＢ１１７に既に記憶されている当該ＥＴＣカードＩＤを有する記憶領域から入庫時間を取得し、出庫時間と入庫時間の差として得られる駐車時間から駐車場利用料金を演算する。次に、駐車料金ＤＢ１１７内の当該ＥＴＣカードＩＤを有する記憶領域に、出庫時間と駐車場利用料金を記憶させる。そして、当該ＥＴＣカードＩＤを有する記憶領域の情報、すなわち、ＥＴＣカードＩＤと付随する駐車場利用料金、入庫時間、出庫時間に当該駐車場の駐車場ＩＤを付加した情報を、通信ネットワーク接続手段１１１を介して駐車場案内サービスホストコンピュータ１０に送信する。駐車場案内サービスホストコンピュータ１０の駐車料金管理手段１０５は、これを駐車料金ＤＢ１０７に記憶させる。
【０１０８】
なお、予約した駐車スペースから自動車が出庫すると、駐車場端末１１の駐車スペース使用状況管理手段１１３は、当該駐車スペースの使用状況が使用中→空きに変化したことを検出して、この使用状況を駐車場情報ＤＢ１１６の該当駐車スペースＩＤを有する記憶領域の使用状況レコードに記憶させる（ＮＵＬＬコードを記録する）。また、該当駐車スペースＩＤを有する記憶領域の予約状況レコードが予約ありを示している場合には、予約なしに変更する（ＮＵＬＬコードを記録する）。そして、この使用状況と予約状況を、通信ネットワーク接続手段１１１を介して駐車場案内サービスホストコンピュータ１０に送信する。駐車場案内サービスホストコンピュータ１０の駐車場使用状況管理手段１０３は、これを駐車場使用状況ＤＢ１０６内の該当駐車場ＩＤ・該当駐車スペースＩＤを有する記憶領域の使用状況レコード、予約状況レコードに記憶させる。
【０１０９】
なお、上述した駐車場が、量販店や病院等の施設に付属する駐車場である場合、或いは、地域の商店等と提携している駐車場である場合には、ＥＴＣカード（図４のカーナビ装置１２のＥＴＣ車載器１２４に接続されるＥＴＣカード１２４２）のクレジット利用によって、該当施設の利用料金や商店での買物料金を支払うようにしてもよい。このようにＥＴＣカードを通常のクレジットカードとして利用すると、このことが該当施設や商店の利用証明となる。そして、利用施設・商店名と利用料金、利用時間及びＥＴＣカードＩＤは、ＥＴＣカード発行元のクレジット会社が運営するクレジット会社ホストコンピュータ１４に送信されて保存されるので、後に駐車場利用料金を精算する際に、駐車場利用料金の割引を行うことができる（ステップＡ７）。
【０１１０】
次に、クレジット会社ホストコンピュータ１４が駐車場利用料金の精算を行う。駐車場利用料金の精算にあたり、先ず、駐車場案内サービスホストコンピュータ１０から駐車料金ＤＢ１０７に保存されている駐車場利用料金の情報をクレジット会社ホストコンピュータ１４に送信する。クレジット会社ホストコンピュータ１４は、ＥＴＣカードＩＤごとに駐車場利用料金を集計し、また、ＥＴＣカードのクレジット利用による利用証明が存在する場合には、当該ＥＴＣカードＩＤの駐車場利用料金の割引を行う。そして、割引後の駐車場利用料金と、クレジット利用による利用料金と、通常のＥＴＣシステムによる有料道路の利用料金とを併せて、銀行引き落としを行う（ステップＡ８）。
【０１１１】
具体的には、駐車場案内サービスホストコンピュータ１０の駐車料金管理手段１０５は、駐車料金ＤＢ１０７にＥＴＣカードＩＤを付して保存されている駐車場利用料金の情報を、通信ネットワーク接続手段１０１を介してクレジット会社ホストコンピュータ１４に送信する。クレジット会社ホストコンピュータ１４の駐車料金管理手段１４２は、通信ネットワーク接続手段１４１を介して駐車場利用料金の情報を受信して、これを駐車料金ＤＢ１４５に記憶させ保存する。次に、料金精算手段１４８は、駐車料金ＤＢ１４５を参照してＥＴＣカードＩＤごとに駐車場利用料金を集計する。また、クレジット料金ＤＢ１４６を参照して当該ＥＴＣカードＩＤでのクレジット利用による利用料金が記憶されている場合には、クレジット利用の利用時間が駐車中である場合（クレジット利用の利用時間が、駐車料金ＤＢ１４５内の入庫時間から出庫時間の間である場合。）には、所定の割引率に従って駐車場利用料金の割引を行う。そして、ＥＴＣカードＩＤごとの割引後の駐車場利用料金と、クレジット利用による利用料金と、通常のＥＴＣシステムによる有料道路の利用料金とを併せて、銀行引き落とし処理を行う。
【０１１２】
最後に、駐車場案内サービスホストコンピュータ１０を備える駐車場案内サービスサイトは、駐車場案内サービスに加入する駐車場から、サービスの利用状況に応じて、サービスの使用料金を徴収する（ステップＡ９）。
【０１１３】
なお、上述した本実施形態における駐車場案内サービスホストコンピュータ１０及びクレジット会社ホストコンピュータ１４を、ＥＴＣカードの発行元のクレジット会社が運営するようにすれば、該クレジット会社の経済的効果を向上することが可能となる。
【０１１４】
以上説明したように、本実施形態によれば、ＥＴＣカードの発行元のクレジット会社が運営する駐車場案内サービスホストコンピュータ１０を有する駐車場案内サービスサイトは、駐車場案内サービスに加入する駐車場からサービス使用料金を徴収し、また、駐車場への入庫出庫管理と駐車場利用料金の管理を行っている。そして、駐車場の利用者が駐車時間中にＥＴＣカードのクレジット利用により買物などを行うと、駐車場利用料金の割引サービスを行うようになっている。従って、クレジットカード利用金額の向上が図られ、クレジット会社としての手数料収入の増加を図ることが可能となり、ＥＴＣカードのクレジット利用が増加して経済的効果を向上することができる。
【０１１５】
また、各駐車場が駐車場案内サービスサイトの駐車場案内サービスホストコンピュータ１０に、自駐車場の駐車場情報と各駐車スペースの使用状況を通知している。従って、駐車場の使用状況をリアルタイムで利用者のカーナビ装置１２に通知することが可能となる。そして、空き駐車場を予約する際には、ＥＴＣカードの個人識別情報であるところのＥＴＣカードＩＤでの認証による予約を行うものであるため、この予約による駐車場利用確率が、通常の電話予約などに比べて高くなり、効率的に駐車スペースを使うことができるようになり、利用者の駐車場使用回転率を高くすることができる。
【０１１６】
さらに、駐車場の利用者は、カーナビ装置１２によって空き駐車場を探し、空き駐車場への経路案内を利用することができるため、短時間かつ効率的に空き駐車場に到着することができるようになり、待ち時間なしに予め予約しておいた駐車スペースに迅速に駐車することができるようになる。また、駐車場利用料金の自動支払いを行っているため、スムーズな料金支払いを行うことができるようになる。さらに、ＥＴＣカードのクレジット利用によって駐車場利用料金の割引サービスを受けることができるため、従来行われていた駐車券への検印等の煩わしい手間をかけることなく、駐車場を利用することができるようになり、駐車場利用者の利便性を向上することができる。
【０１１７】
次に、図７、図８、図９を参照して、本発明の第２の実施形態について説明する。
【０１１８】
本発明の第２の実施形態は、第１の実施形態で記載した駐車場案内サービスを、高速道路などの有料道路に適用したものである。従って、図７〜図９において、第１の実施形態で使用した図１〜図６に示す構成要素に対応するものは同一の参照数字または符号を付し、その詳細説明を省略するものとする。
【０１１９】
図７は、本発明の駐車場案内と料金自動支払いシステムの第２の実施形態を示すブロック図である。
【０１２０】
図７に示す第２の実施形態は、高速道路の加入するサービスエリア（ＳＡ）やパーキングエリア（ＰＡ）の駐車場を管理し、高速道路の駐車場案内サービスを行う高速道路駐車場案内サービスサイトの駐車場案内サービスホストコンピュータ２０を備えている。また、加入するＳＡやＰＡの駐車場に設置される複数の駐車場端末１１（１１−１〜１１−ｎ）と、駐車場を利用する複数の自動車に搭載されるカーナビ装置１２（１２−１〜１２−ｍ）と、を備えている。さらに、高速道路の入口でＥＴＣシステムにより高速道路利用料金自動収受機能を備える入口ゲート１５（１５−１〜１５−ｋ）と、高速道路の出口でＥＴＣシステムにより高速道路利用料金自動収受機能を備える出口ゲート１６（１６−１〜１６−ｋ）と、を備えている。またさらに、これらを相互に通信接続する通信ネットワーク１３を備えている。
【０１２１】
入口ゲート１５と出口ゲート１６には、通常のＥＴＣシステムのＥＴＣ路側装置（図示せず）が設置されており、当該ゲートを通過する自動車のＥＴＣ車載器とＤＳＲＣによる通信を行って、利用料金自動収受を行うようになっている。そして、自動収受された高速道路の利用料金は通常のＥＴＣシステム（図示せず）を介して、駐車場案内サービスホストコンピュータ２０に送信されるようになっている。
【０１２２】
駐車場案内サービスホストコンピュータ２０は、加入する駐車場の場所情報と該駐車場への経路案内情報を記憶・保存すると共に、各駐車場の駐車スペースの使用状況を管理する。そして、カーナビ装置１２からの要求に応じて各駐車場への経路案内情報を送出すると共に、各駐車場の駐車スペースの予約を受け付ける。また、自動車が駐車場に駐車した際に、ＥＴＣカードのクレジット利用がなされると、そのクレジット利用料金を管理する。さらに、図示しないＥＴＣシステムから送信される有料道路利用料金を管理する。
【０１２３】
駐車場端末１１は、駐車場端末１１が設置される駐車場の各駐車スペースの使用状況を監視し、これを駐車場案内サービスホストコンピュータ２０に送信する。なお、駐車場端末１１の構成と機能は、第１の実施形態で述べた図３のものと同一であるが、第１の実施形態で使用していた駐車料金管理手段１１４、及び、関連するＤＳＲＣ通信手段１１５（１１５−１、１１５−２）、駐車料金ＤＢ１１７は無くてもよい。
【０１２４】
カーナビ装置１２は、通常のカーナビゲーション機能による経路案内を行うと共に、ＥＴＣシステム用のＥＴＣ車載器を備えており、ＥＴＣによる有料道路の利用料金の自動支払いを行う。また、駐車場案内サービスホストコンピュータ２０にアクセスすることにより、各駐車場への経路案内情報を受信してカーナビゲーション機能により駐車場への経路案内を行うと共に、各駐車場の駐車スペースの予約を行う。なお、カーナビ装置１２の構成と機能は、第１の実施形態で述べた図４のものと同一である。
【０１２５】
通信ネットワーク１３は、カーナビ装置１２が駐車場案内サービスホストコンピュータ２０にアクセスするための、携帯電話網及びその基地局装置をも含めたインターネットである。
【０１２６】
次に、図８を参照して、駐車場案内サービスホストコンピュータ２０の構成について説明する。
【０１２７】
図８は、第２の実施形態の駐車場案内サービスホストコンピュータの一例を示す詳細ブロック図である。
【０１２８】
図８における第２の実施形態の駐車場案内サービスホストコンピュータ２０は、ワークステーション、サーバ、或いは、パーソナルコンピュータなどの情報処理装置で構成されている。そして、駐車場案内サービスホストコンピュータ２０は、第１の実施形態の駐車場案内サービスホストコンピュータ１０（図２）の駐車場管理・案内機能と、第１の実施形態のクレジット会社ホストコンピュータ１４（図５）のクレジット料金管理機能及び有料道路利用料金管理機能を合わせ有するものである。従って、図８において、図２、図５に示す構成要素に対応するものは同一の参照数字または符号を付し、その詳細説明を省略するものとする。
【０１２９】
図８における駐車場案内サービスホストコンピュータ２０は、通信ネットワーク１３を介して駐車場端末１１、カーナビ装置１２、ＥＴＣカードのクレジット利用がなされる駐車場の施設（図示せず）、通常のＥＴＣシステム（図示せず）、と通信接続する通信ネットワーク接続手段２０１を備えている。
【０１３０】
また、図２に示したと同様の、加入する駐車場の駐車場情報を登録する駐車場情報登録手段１０２と、駐車場の各駐車スペースの使用状況を管理する駐車場使用状況管理手段１０３と、を備えている。さらに、カーナビ装置１２からの要求があった場合、空き駐車場を検索し、空き駐車場までの経路案内情報を送出すると共に、空き駐車場の駐車スペースの予約を受け付ける駐車場案内手段１０４を備えている。またさらに、各駐車場ごとに、該駐車場への経路案内情報、及び各駐車スペースの使用状況などを記憶・保持する駐車場使用状況ＤＢ１０６を備えている。
【０１３１】
さらに、図５に示したと同様の、ＥＴＣカードのクレジット利用がなされる駐車場の施設から送信されるクレジット料金の情報を管理するクレジット料金管理手段１４３を備えている。また、通常のＥＴＣシステムから送信される有料道路の利用料金の情報を管理する有料道路利用料金管理手段１４４を備えている。さらに、クレジット料金の情報を記憶・保持するクレジット料金ＤＢ１４６と、有料道路の利用料金の情報を記憶・保持する有料道路利用料金ＤＢ１４７と、を備えている。
【０１３２】
またさらに、第２の実施形態においては、有料道路利用料金ＤＢ１４７を参照して、ＥＴＣカードＩＤごとの有料道路利用料金を集計して精算する料金精算手段２０２を備えている。料金精算手段２０２は、また、クレジット料金ＤＢ１４６を参照して当該ＥＴＣカードＩＤでのクレジット利用による利用料金が記憶されている場合には、クレジット利用の利用時間が高速道路利用中である場合（クレジット利用の利用時間が、有料道路利用料金ＤＢ１４７内の利用時間内である場合。）には、所定の割引率に従って有料道路利用料金及びクレジット利用料金の割引を行う。
【０１３３】
次に、図９を参照して、第２の実施形態の動作について詳細に説明する。
【０１３４】
図９は、第２の実施形態の動作を説明するフローチャートである。
【０１３５】
先ず、駐車場案内サービスホストコンピュータ２０は、高速道路の駐車場案内サービスに加入するＳＡやＰＡの駐車場の駐車場端末１１から、該当駐車場の駐車場情報を受信し、受信した駐車場情報を駐車場使用状況ＤＢ１０６に登録する（図９のステップＢ１）。具体的な動作は、第１の実施形態の図６のステップＡ１と同一であるため、これ以上の説明を省略する。
【０１３６】
次に、高速道路の駐車場案内サービスに加入する駐車場の駐車場端末１１は、自駐車場の各駐車スペースの使用状況（空き／使用中）を把握し、各駐車スペースの使用状況をリアルタイムで駐車場案内サービスホストコンピュータ２０に送信する。駐車場案内サービスホストコンピュータ２０は、各駐車スペースの使用状況を駐車場使用状況ＤＢ１０６に書き込むことにより、各駐車場の各駐車スペースの使用状況を管理する（ステップＢ２）。具体的な動作は、第１の実施形態の図６のステップＡ２と同一であるため、これ以上の説明を省略する。
【０１３７】
次に、高速道路の駐車場案内サービスを利用したい自動車のカーナビ装置１２から、空き駐車場の検索を要求するメッセージが、駐車場案内サービスホストコンピュータ２０に送信されると、駐車場案内サービスホストコンピュータ２０は該メッセージに含まれるＥＴＣカードＩＤによって認証を行いログインを完了させる。そして、駐車場案内サービスホストコンピュータ２０は空き駐車場を探し出し、空き駐車場の情報メッセージを生成してカーナビ装置１２に返送する（ステップＢ３）。具体的な動作は、第１の実施形態の図６のステップＡ３と同一であるため、これ以上の説明を省略する。
【０１３８】
次に、空き駐車場の情報メッセージを受信したカーナビ装置１２は、空き駐車場の場所情報と経路案内情報を経路案内手段１２３の表示装置に表示する。そして、カーナビ装置１２の使用者によって空き駐車場が選択されると、その空き駐車場の駐車スペースを予約したい旨の予約要求メッセージを生成し、予約要求メッセージを駐車場案内サービスホストコンピュータ２０に送信する（ステップＢ４）。
【０１３９】
具体的には、第１の実施形態の図６のステップＡ４で述べたと同様に、カーナビ装置１２から予約要求メッセージを駐車場案内サービスホストコンピュータ２０に送信する。駐車場案内サービスホストコンピュータ２０の駐車場案内手段１０４は、通信ネットワーク接続手段２０１を介して予約要求メッセージを受信する。予約要求メッセージを受信すると、駐車場使用状況ＤＢ１０６内の、予約要求メッセージに含まれる駐車場ＩＤで識別される空き駐車場の空き駐車スペースを選択する。そして、駐車場ＩＤ及び駐車スペースＩＤで識別される記憶領域の予約状況レコードに、予約要求メッセージに含まれるＥＴＣカードＩＤを記録して、当該駐車場ＩＤ及び駐車スペースＩＤで識別される駐車スペースの予約を完了する。
【０１４０】
駐車スペースの予約を完了した駐車場案内サービスホストコンピュータ２０の駐車場案内手段１０４は、駐車場使用状況ＤＢ１０６から、予約した駐車スペースを有する駐車場の駐車場ＩＤを有する記憶領域から当該駐車場の経路案内情報と駐車スペース配置を取得して、この経路案内情報と駐車スペース配置の情報を、通信ネットワーク接続手段２０１を介してカーナビ装置１２に返送する。
【０１４１】
予約した駐車場の経路案内情報と駐車スペース配置の情報を受信したカーナビ装置１２は、予約した駐車場の経路案内情報を、経路案内手段１２３の表示装置に表示させる。カーナビ装置１２の使用者は、カーナビ装置１２に表示されている経路案内情報に従って、予約した駐車場まで走行する。
【０１４２】
次に、高速道路の駐車場案内サービスを利用する自動車は、通常のＥＴＣシステムのＥＴＣ路側装置とＤＳＲＣによる通信を行って入口ゲート１５を通り、高速道路に入る（ステップＢ５）。なお、ステップＢ５において高速道路に入った後に、ステップＢ３、ステップＢ４の動作、すなわち、空き駐車場の検索と予約の動作を行うようにしてもよい。
【０１４３】
次に、予約した駐車場に到着した自動車は、既に駐車場案内サービスホストコンピュータ２０から受信している駐車スペース配置の情報を、カーナビ装置１２に表示して、予約した駐車スペースに駐車する。
【０１４４】
このとき、駐車したＳＡやＰＡのレストランや売店などの施設において、ＥＴＣカードのクレジット利用によって、該当施設の利用料金や買物料金を支払うようにしてもよい。このようにＥＴＣカードを通常のクレジットカードとして利用すると、このことが該当施設の利用証明となる。そして、利用施設・商店名と利用料金、利用時間及びＥＴＣカードＩＤは、駐車場案内サービスホストコンピュータ２０に送信されて保存されるので、後に高速道路利用料金を精算する際に、高速道路利用料金及びクレジット利用料金の割引を行うことができる（ステップＢ６）。
【０１４５】
次に、高速道路の駐車場案内サービスを利用する自動車は、通常のＥＴＣシステムのＥＴＣ路側装置とＤＳＲＣによる通信を行って出口ゲート１６を通り、高速道路から出る。このとき、通常のＥＴＣシステムによって高速道路の利用料金が自動収受され、この高速道路利用料金すなわち有料道路利用料金は後に、ＥＴＣシステムから駐車場案内サービスホストコンピュータ２０に送信される（ステップＢ７）。
【０１４６】
次に、駐車場案内サービスホストコンピュータ２０が、有料道路利用料金及びクレジット利用料金の精算を行う。有料道路利用料金及びクレジット利用料金の精算にあたり、先ず、ＥＴＣシステムから有料道路利用料金の情報を駐車場案内サービスホストコンピュータ２０に送信すると共に、ＳＡやＰＡの施設からクレジット利用料金の情報を駐車場案内サービスホストコンピュータ２０に送信する。次に、駐車場案内サービスホストコンピュータ２０は、ＥＴＣカードＩＤごとに有料道路利用料金を集計し、また、ＥＴＣカードのクレジット利用による利用証明が存在する場合には、当該ＥＴＣカードＩＤの有料道路利用料金及びクレジット利用料金の割引を行う。そして、割引後の有料道路利用料金及びクレジット利用料金とを併せて、銀行引き落としを行う（ステップＢ８）。
【０１４７】
具体的には、駐車場案内サービスホストコンピュータ２０のクレジット料金管理手段１４３は、通信ネットワーク接続手段２０１を介してＳＡやＰＡの施設からクレジット利用料金の情報を受信して、これをクレジット料金ＤＢ１４６に記憶させ保存する。また、駐車場案内サービスホストコンピュータ２０の有料道路利用料金管理手段１４４は、通信ネットワーク接続手段２０１を介してＥＴＣシステムから有料道路利用料金の情報を受信して、これを有料道路利用料金ＤＢ１４７に記憶させ保存する。次に、料金精算手段２０２は、有料道路利用料金ＤＢ１４７を参照して、ＥＴＣカードＩＤごとの有料道路利用料金を集計する。料金精算手段２０２は、また、クレジット料金ＤＢ１４６を参照して当該ＥＴＣカードＩＤでのクレジット利用による利用料金が記憶されている場合には、クレジット利用の利用時間が高速道路利用中である場合（クレジット利用の利用時間が、有料道路利用料金ＤＢ１４７内の利用時間内である場合。）には、所定の割引率に従って有料道路利用料金及びクレジット利用料金の割引を行う。そして、ＥＴＣカードＩＤごとの割引後の有料道路利用料金及びクレジット利用料金とを併せて、銀行引き落とし処理を行う。
【０１４８】
最後に、駐車場案内サービスホストコンピュータ２０を備える高速道路駐車場案内サービスサイトは、高速道路の駐車場案内サービスに加入する駐車場から、サービスの利用状況に応じて、サービスの使用料金を徴収する（ステップＢ９）。
【０１４９】
なお、上述した第２の実施形態における駐車場案内サービスホストコンピュータ２０を、ＥＴＣカードの発行元のクレジット会社が運営するようにすれば、該クレジット会社の経済的効果を向上することが可能となる。
【０１５０】
以上説明したように、本発明の第２の実施形態によれば、ＥＴＣカードの発行元のクレジット会社が運営する駐車場案内サービスホストコンピュータ２０を有する高速道路駐車場案内サービスサイトは、高速道路の駐車場案内サービスに加入するＳＡやＰＡの駐車場からサービス使用料金を徴収し、また、駐車場の利用者が駐車時間中にＥＴＣカードのクレジット利用により買物などを行うと、有料道路利用料金及びクレジット利用料金の割引サービスを行うようになっている。従って、クレジットカード利用金額の向上が図られ、クレジット会社としての手数料収入の増加を図ることが可能となり、ＥＴＣカードのクレジット利用が増加して経済的効果を向上することができる。
【０１５１】
また、各ＳＡやＰＡの駐車場が高速道路駐車場案内サービスサイトの駐車場案内サービスホストコンピュータ２０に、自駐車場の駐車場情報と各駐車スペースの使用状況を通知している。従って、駐車場の使用状況をリアルタイムで利用者のカーナビ装置１２に通知することが可能となる。そして、空き駐車場を予約する際には、ＥＴＣカードの個人識別情報であるところのＥＴＣカードＩＤでの認証による予約を行うものであるため、この予約による駐車場利用確率が、通常の電話予約などに比べて高くなり、効率的に駐車スペースを使うことができるようになり、利用者の駐車場使用回転率を高くすることができる。
【０１５２】
さらに、ＳＡやＰＡの駐車場の利用者は、カーナビ装置１２によってＳＡやＰＡの空き駐車場を探し、空き駐車場への経路案内を利用することができるため、確実に空き駐車場に到着することができるようになり、待ち時間なしに予め予約しておいた駐車スペースに迅速に駐車することができるようになる。また、ＥＴＣカードのクレジット利用によって有料道路利用料金の割引サービスを受けることができるため、手間をかけることなく割引サービスを利用することができるようになり、駐車場利用者の利便性を向上することができる。
【図面の簡単な説明】
【０１５３】
【図１】本発明の駐車場案内と料金自動支払いシステムの一実施形態を示すブロック図である。
【図２】駐車場案内サービスホストコンピュータの一例を示す詳細ブロック図である。
【図３】駐車場端末の一例を示す詳細ブロック図である。
【図４】カーナビ装置の一例を示す詳細ブロック図である。
【図５】クレジット会社ホストコンピュータの一例を示す詳細ブロック図である。
【図６】本実施形態の動作を説明するフローチャートである。
【図７】本発明の駐車場案内と料金自動支払いシステムの第２の実施形態を示すブロック図である。
【図８】第２の実施形態の駐車場案内サービスホストコンピュータの一例を示す詳細ブロック図である。
【図９】第２の実施形態の動作を説明するフローチャートである。
【図１０】従来の駐車場管理システムを示すブロック図である。
【符号の説明】
【０１５４】
１０    駐車場案内サービスホストコンピュータ
１０１    通信ネットワーク接続手段
１０２    駐車場情報登録手段
１０３    駐車場使用状況管理手段
１０４    駐車場案内手段
１０５    駐車料金管理手段
１０６    駐車場使用状況ＤＢ
１０７    駐車料金ＤＢ
１１    駐車場端末
１１１    通信ネットワーク接続手段
１１２    駐車場情報送信手段
１１３    駐車スペース使用状況管理手段
１１４    駐車料金徴収手段
１１５    ＤＳＲＣ通信手段
１１６    駐車場情報ＤＢ
１１７    駐車料金ＤＢ
１２    カーナビ装置
１２１    駐車場案内サービスアクセス手段
１２２    自車情報蓄積手段
１２３    経路案内手段
１２４    ＥＴＣ車載器
１２４１    ＥＴＣ制御手段
１２４２    ＥＴＣカード
１２４３    ＤＳＲＣ通信手段
１３    通信ネットワーク
１４    クレジット会社ホストコンピュータ
１４１    通信ネットワーク接続手段
１４２    駐車料金管理手段
１４３    クレジット料金管理手段
１４４    有料道路利用料金管理手段
１４５    駐車料金ＤＢ
１４６    クレジット料金ＤＢ
１４７    有料道路利用料金ＤＢ
１４８    料金精算手段
１５    入口ゲート
１６    出口ゲート
２０    駐車場案内サービスホストコンピュータ
２０１    通信ネットワーク接続手段
２０２    料金精算手段
【図１】
2005275719.tif 000003
【図２】
2005275719.tif 000004
【図３】
2005275719.tif 000005
【図４】
2005275719.tif 000006
【図５】
2005275719.tif 000007
【図６】
2005275719.tif 000008
【図７】
2005275719.tif 000009
【図８】
2005275719.tif 000010
【図９】
2005275719.tif 000011
【図１０】
2005275719.tif 000012